(57)【要約】【課題】比較的安価な装置構成により所望する照明光を照射することができる照明バトン装置、および照明システムを提供することを課題とする。【解決手段】実施形態に係る照明バトン装置１００は、それぞれが独立して昇降移動可能に天井から垂設されて、鉛直方向と直交する第１方向に延設され、鉛直方向および第１方向と直交する第２方向に沿って複数台並べて設けられる。各照明バトン装置１００は、天井から昇降移動可能に垂設された本体フレーム１１０と；この本体フレーム１１０から鉛直下方に垂設されて第１方向に延設された第１バトン２０と；本体フレーム１１０に対して第２方向に伸縮可能に設けた伸縮部材と；この伸縮部材の本体フレーム１１０から離間した第２方向の先端から鉛直下方に垂設されて第１方向に延設された第２バトン３０と；を有する。【選択図】      図１
2018051239.tif 000002
【特許請求の範囲】
【請求項１】
それぞれが独立して昇降移動可能に天井から垂設されて、鉛直方向と直交する第１方向に延設され、前記鉛直方向および前記第１方向と直交する第２方向に沿って複数台並べて設けられた照明バトン装置であって、
前記天井から昇降移動可能に垂設された本体と；
この本体から鉛直下方に垂設されて前記第１方向に延設された第１バトンと；
前記本体に対して前記第２方向に伸縮可能に設けた伸縮部材と；
この伸縮部材の前記本体から離間した前記第２方向の先端から鉛直下方に垂設されて前記第１方向に延設された第２バトンと；
を有する照明バトン装置。
【請求項２】
前記伸縮部材の前記先端に対して回動可能に設けられ、回動の先端に前記第２バトンを備えた回動アームをさらに有する、
請求項１の照明バトン装置。
【請求項３】
前記第２バトンを前記伸縮部材の前記先端の鉛直下方に吊下げた吊下げ位置と前記第２バトンを前記伸縮部材の前記先端の鉛直上方に跳ね上げた収納位置のそれぞれにおいて前記回動アームの前記先端に対する回動を選択的に禁止するロック機構をさらに有する、
請求項２の照明バトン装置。
【請求項４】
前記第２バトンは前記第１方向に分割された複数の分割バトンを含み、前記伸縮部材がこれら複数の分割バトンに対応して複数設けられ、これら各分割バトンが前記回動アームを介して前記対応する伸縮部材の前記先端に対して回動可能に設けられ、前記各分割バトン毎に前記ロック機構を備える、
請求項３の照明バトン装置。
【請求項５】
請求項１乃至請求項４のいずれかの照明バトン装置を前記第２方向に沿って複数台並設した照明システム。
【発明の詳細な説明】
【技術分野】
【０００１】
本発明の実施形態は、テレビスタジオや劇場などの天井から照明器具を吊り下げる照明バトン装置、およびこの照明バトン装置を複数台並設した照明システムに関する。
【背景技術】
【０００２】
従来、テレビスタジオや劇場などの天井から照明器具を吊り下げる場合、複数台の照明器具をまとめて昇降移動可能に支持することができる照明バトン装置を用いている。照明バトン装置は、一般に、複数台の照明器具を吊り下げるバトン、天井に設置したグリッドに固設した巻上機、およびバトンを巻上機に接続した複数本の吊下げワイヤーを有する。
【０００３】
例えば、スタジオセットの上方から所望する照明光を照射するためには、スタジオセットのレイアウトに応じて複数台の照明器具を用意して、各照明器具の高さ位置を個別に調整することが望ましい。このため、通常は、複数台の照明バトン装置を比較的狭い間隔で並べて配置して、各照明バトン装置にそれぞれ取り付けた複数台の照明器具の高さ位置を照明バトン装置毎に個別に調整するようにしている。
【先行技術文献】
【特許文献】
【０００４】
【特許文献１】特開２００７−１４１４５８号公報
【特許文献２】特開２０１０−５１９５号公報
【発明の概要】
【発明が解決しようとする課題】
【０００５】
しかし、照明バトン装置を狭い間隔で複数台配置した場合、所望する照明光を照射することができる反面、巻上機の台数も多くなり、天井のグリッドに取り付ける照明設備全体としての重量が重くなってしまう。また、巻上機の台数が多くなると、その分、照明設備が高価になってしまう。
【０００６】
このため、照明バトン装置の台数を増やさずに少し間隔を空けて配置して、隣接する照明バトン装置の間に追加の照明器具を取り付けるための渡しバトンを架け渡す方法が知られている。しかし、このような渡しバトンを用いると、渡しバトンの両端にある２台の照明バトン装置の高さを揃える必要がある。つまり、これら２台の照明バトン装置の高さを異ならせてしまうと、渡しバトンに取り付けた追加の照明器具が傾いてしまい、最悪の場合、渡しバトンが折れてしまう可能性さえある。
【０００７】
よって、比較的安価な装置構成により所望する照明光を照射することができる照明バトン装置、および照明システムの開発が望まれている。
【課題を解決するための手段】
【０００８】
第１の実施形態に係る照明バトン装置は、それぞれが独立して昇降移動可能に天井から垂設されて、鉛直方向と直交する第１方向に延設され、鉛直方向および第１方向と直交する第２方向に沿って複数台並べて設けられる。各照明バトン装置は、天井から昇降移動可能に垂設された本体と；この本体から鉛直下方に垂設されて第１方向に延設された第１バトンと；本体に対して第２方向に伸縮可能に設けた伸縮部材と；この伸縮部材の本体から離間した第２方向の先端から鉛直下方に垂設されて第１方向に延設された第２バトンと；を有する。
【０００９】
第２の実施形態に係る照明バトン装置は、伸縮部材の先端に対して回動可能に設けられ、回動の先端に第２バトンを備えた支持アームをさらに有する。
【００１０】
第３の実施形態に係る照明バトン装置は、第２バトンを伸縮部材の先端の鉛直下方に吊下げた吊下げ位置と第２バトンを伸縮部材の先端の鉛直上方に跳ね上げた収納位置のそれぞれにおいて伸縮部材の先端に対する支持アームの回動を選択的に禁止するロック機構をさらに有する。
【００１１】
第４の実施形態に係る照明バトン装置によると、第２バトンは第１方向に分割された複数の分割バトンを含み、伸縮部材がこれら複数の分割バトンに対応して複数設けられ、これら各分割バトンが支持アームを介して対応する伸縮部材の先端に対して回動可能に設けられ、各分割バトン毎にロック機構を備える。
【００１２】
第５の実施形態に係る照明システムは、上記の照明バトン装置を第２の方向に沿って複数台並設したものである。
【発明の効果】
【００１３】
第１の実施形態の照明バトン装置によると、比較的安価な装置構成により、第１バトンに加えて伸縮可能な第２バトンを設けることができ、バトンの本数に対する巻上機の台数を少なくすることができ、且つ所望する照明光を照射することができる。
【００１４】
第２の実施形態の照明バトン装置によると、第２バトンを使用しない場合に支持アームを回動して第２バトンを収納することができ、第１バトンに対する照明器具の取り付けを容易にできる。
【００１５】
第３の実施形態の照明バトン装置によると、第２バトンを吊下げ位置と収納位置にロックすることができ、第２バトンの使用時に不用意に回動してしまう不具合を防止することができ、収納した第２バトンが不用意に回動してしまう不具合を防止することができる。
【００１６】
第４の実施形態の照明バトン装置によると、第２バトンが複数に分割された分割バトンを含み、各分割バトンを独立して動作させることができるため、使用しない分割バトンを収納して装置構成をコンパクトにすることができ、利便性を向上させることができる。
【００１７】
第５の実施形態の照明システムによると、第２バトンの伸縮方向に複数台の照明バトン装置を並設したため、照明バトン装置の第２方向に沿った配置間隔を広げることができ、照明バトン装置の台数を減らすことができる。
【図面の簡単な説明】
【００１８】
【図１】図１は、実施形態に係る照明バトン装置をその並び方向から見た正面図である。
【図２】図２は、図１の照明バトン装置を矢印II方向から見た側面図である。
【図３】図３は、図１の照明バトン装置を天井側から見た平面図である。
【図４】図４は、図１の照明バトン装置の要部を示す斜視図である。
【図５】図５は、図１の照明バトン装置の要部を示す斜視図である。
【発明を実施するための形態】
【００１９】
以下、図面を参照しながら実施形態について詳細に説明する。  
図１は、実施形態に係る照明バトン装置１００をその並び方向から見た正面図であり、図２は、この照明バトン装置１００を図１の矢印II方向から見た側面図であり、図３は、この照明バトン装置１００を図１の矢印III方向から見た平面図である。また、図４および図５は、それぞれ、照明バトン装置１００の要部を示す斜視図である。
【００２０】
図１に示すように、照明バトン装置１００は、テレビスタジオや劇場などの建物の天井に固設した井桁状のグリッドＧから鉛直下方に垂設されている。グリッドＧには、照明バトン装置１００を昇降移動させるための方向変車を備えた昇降機１０２が固設されている。昇降機１０２は、照明バトン装置１００を吊り下げた４本（図１では２本のみ図示）の吊りワイヤー１０１を同じ速度で同時に巻き上げる。つまり、この昇降機１０２は、照明バトン装置１００を水平な姿勢のまま昇降移動させることができるようになっている。
【００２１】
各吊りワイヤー１０１の下端は、それぞれ、略鉛直方向に延びた吊りアーム１１２を介して照明バトン装置１００の本体フレーム１１０（本体）に固設されている。吊りアーム１１２は、照明バトン装置１００の長手方向（図１で左右方向；第１方向）の両端に２本ずつ設けられている。各吊りワイヤー１０１の下端は、各吊りアーム１１２の上端に取り付けられている。また、各吊りアーム１１２の下端は、Ｌ字金具１１３を介してネジ１１４により本体フレーム１１０に締結固定されている（図５）。
【００２２】
図２に示すように、吊りワイヤー１０１は、照明バトン装置１００の長手方向の両端において装置の並び方向（図示左右方向；第２方向）に離間して２本ずつ設けられている。吊りアーム１１２も、照明バトン装置１００の両端に２本ずつ設けられている。照明バトン装置１００の長手方向の各端部に設けたそれぞれ２本の吊りアーム１１２は、照明バトン装置１００の並び方向に沿って上方に向けて互いに離間する方向に傾斜している。言い換えると、照明バトン装置１００の両端に設けた２組の吊りアーム１１２は、それぞれ、天井に向けて並び方向に拡開している。
【００２３】
これにより、照明バトン装置１００の吊りワイヤー１０１による吊下げ位置が並び方向に拡がることになり、照明バトン装置１００の吊下げ姿勢を安定させることができ、照明バトン装置１００を並び方向に揺れ難くすることができる。このため、照明バトン装置１００を昇降移動する際に、隣接する他の照明バトン装置１００に取り付けた図示しない照明器具や図示しない美術バトン（幕やパネルなど）などに干渉する不具合を防止することができる。
【００２４】
上記のように、天井から昇降移動可能に垂設した照明バトン装置１００は、鉛直方向およびその長手方向（第１方向）と直交する短手方向（第２方向）に所定距離離間して複数台並べて設けられ、天井の照明設備を構成する。また、必要に応じて、美術バトンが照明バトン装置１００の間に配置される。本実施形態の照明バトン装置１００は、それぞれ独立して昇降移動可能に設けられているため、並び方向に隣接する２台の照明バトン装置１００の間に美術バトンなどを配置するスペースを設けることができる。
【００２５】
なお、本実施形態の照明バトン装置１００は、後述する第１バトン２０および第２バトン３０、３０に照明器具を引っ掛けて使用する装置であるが、照明器具以外にマイクロフォンなどの音響機器を取り付けることもできる。或いは、美術バトンを用いないで、膜やパネルを照明バトン装置１００に取り付けることもできる。
【００２６】
図３に示すように、照明バトン装置１００の本体フレーム１１０は、短手方向に互いに離間して長手方向に互いに平行に延びた２本のメインフレーム１１０ａを有する。上述した４本の吊りアーム１１２は、それぞれメインフレーム１１０ａの長手方向の両端近くでメインフレーム１１０ａの上面に締結固定されている。メインフレーム１１０ａは、照明バトン装置１００の略全長にわたって延びている。
【００２７】
また、本体フレーム１１０は、２本のメインフレーム１１０ａの間をつなぐ短手方向に延びた複数本のサブフレーム１１０ｂを有する。さらに、本体フレーム１１０の下面側には、配線のための中空のダクト１１０ｃが取り付けられている。ダクト１１０ｃは、本体フレーム１１０の全長をわずかに超える長さを有する。
【００２８】
図１に示すように、本体フレーム１１０の上面側、すなわち天井側には、図示しないケーブルを収容するためのケーブル用カゴ１０が設けられている。ケーブルは、折り畳んだ状態でケーブル用カゴ１０内に収容され、照明バトン装置１００の鉛直下方への移動に伴いケーブル用カゴ１０から引き出される。図３では、照明バトン装置１００の他の構成を見易くするため、ケーブル用カゴ１０を破線で図示してある。
【００２９】
照明バトン装置１００は、複数台の照明器具（図示せず）を吊り下げ支持するためのものであるため、天井から導出したケーブルを接続する必要がある。ケーブルには、複数台の照明器具（図示せず）に給電するための給電線、および各照明器具を点灯制御するための制御信号を送信する制御線が含まれている。
【００３０】
図１および図２に示すように、本体フレーム１１０の下面側の短手方向の中央には、第１バトン２０が垂設されている。具体的には、第１バトン２０は、３本の支持アーム２２を介してダクト１１０ｃの長手方向に延びた下面１１０ｄから鉛直下方に垂設されている。第１バトン２０は、メインフレーム１１０ａをわずかに超える長さを有して本体フレーム１１０の長手方向と平行（第１方向）に延設されている。第１バトン２０は、本体フレーム１１０に固定されている。
【００３１】
本実施形態では、第１バトン２０は、その長手方向の両端近くおよび中央にて３本の支持アーム２２を介して本体フレーム１１０のダクト１１０ｃの下面１１０ｄから垂設されている。なお、第１バトン２０の長手方向の両端は、図１に破線で示すように長手方向の外側にさらに伸長可能な構造を有する。また、ダクト１１０ｃの下面１１０ｄから上方に拡がる方向に傾斜した２つの傾斜面１１０ｅには、複数個のコンセント１１５が設けられている。
【００３２】
図示しない照明器具を照明バトン装置１００に取り付ける場合、照明器具側の図示しないフックを第１バトン２０（或いは後述する第２バトン３０、３０）に引っ掛けて照明器具を吊り下げる。そして、照明器具の図示しない電源コードを近くのコンセント１１５に差し込む。本実施形態では、コンセント１１５は、傾斜面１１０ｅの長手方向に離間して８個設けられ、下面１１０ｄの両側で合計１６個のコンセント１１５が設けられている。
【００３３】
しかし、ダクト１１０ｃの２つの傾斜面１１０ｅに設けるコンセント１１５の個数は任意に設計可能であり、照明バトン装置１００の長さによって変わるものである。また、図示しない分岐タップコードなどを用いてコンセント１１５の口数を増やすこともできる。
【００３４】
本実施形態の照明バトン装置１００は、上述した第１バトン２０以外に、２組の第２バトン３０、３０を有する。第２バトン３０、３０は、第１バトン２０を間に挟んで照明バトン装置１００の短手方向の両側に設けたものであり、２組の第２バトン３０、３０は、略同じ構造を有する。第２バトン３０、３０は、本体フレーム１１０に対して展開および収納可能に設けられている。
【００３５】
各第２バトン３０は、長手方向に２分割した２本の分割バトン３０’、３０’をそれぞれ含む。つまり、本実施形態の照明バトン装置１００は、第１バトン２０を間に挟んで両側に２本ずつ計４本の分割バトン３０’を有する。分割バトン３０’の分割数は任意に設定可能である。図３では、他の構造を見易くするため、分割バトン３０’（すなわち第２バトン３０）の図示を省略してある。
【００３６】
本体フレーム１１０には、４本の分割バトン３０’をそれぞれ独立して照明バトン装置１００の短手方向に伸縮させるとともに後述する吊下げ位置と収納位置との間で回動させるための４組の伸縮回動機構４０が設けられている。４組の伸縮回動機構４０は、略同じ構造を有するため、以下の説明では１つの伸縮回動機構４０について代表して説明する。
【００３７】
伸縮回動機構４０は、本体フレーム１１０に対して短手方向に伸縮する２本のスライドロッド４１、２本のスライドロッド４１の本体フレーム１１０から短手方向に離間した先端４２同士をつないだ連結ロッド４３、連結ロッド４３の中央に設けた補助ロッド４４、および分割バトン３０’を２本のスライドロッド４１の先端４２に対して回動可能に連結した２本の回動アーム４５を有する。２本のスライドロッド４１、連結ロッド４３、および補助ロッド４４は、伸縮部材として機能する。
【００３８】
２本のスライドロッド４１は、手前側のメインフレーム１１０ａに設けた例えばスライドブッシュなどのリニアベアリング５２を介してメインフレーム１１０ａに挿通される。リニアベアリング５２の短手方向の内側にはスライドロッド４１をスライド可能に受け入れるスライドスリーブ５３が設けられている。スライドスリーブ５３は、２本のメインフレーム１１０ａの間に架け渡されている。リニアベアリング５２を用いることで、スライドロッド４１を高精度に短手方向に直動させることができる。
【００３９】
補助ロッド４４は、手前側のメインフレーム１１０ａを貫通してスライドスリーブ５１内に挿通配置される。スライドスリーブ５１は、一対のメインフレーム１１０ａの間に設けられている。補助ロッド４４は、連結ロッド４３の中央のたわみを防止するよう機能する。連結ロッド４３は、本体フレーム１１０と平行に延びている。
【００４０】
しかして、図３に実線で示す位置から連結ロッド４３を本体フレーム１１０から離間する方向に引っ張ると、２本のスライドロッド４１がリニアベアリング５２によって支持された状態でスライドスリーブ５３内をスライドし、補助ロッド４４がスライドスリーブ５１内をスライドする。連結ロッド４３を本体フレーム１１０から最も離間させた位置まで引き出した状態を図３に破線で示す。スライドロッド４１の基端には、図示しない抜け止め構造が設けられている。
【００４１】
逆に連結ロッド４３を図３に破線で示す位置から本体フレーム１１０に近付く方向に押し込むと、２本のスライドロッド４１がリニアベアリング５２によって支持された状態でスライドスリーブ５３内を逆方向にスライドし、補助ロッド４４がスライドスリーブ５１内を逆方向にスライドする。連結ロッド４３を押し込んだ状態で２本のスライドロッド４１の基端に対向する位置の奥側のメインフレーム１１０ａには、スライドロッド４１の衝突による衝撃を緩衝する緩衝部材５５（図３）が設けられている。
【００４２】
また、伸縮回動機構４０は、２本のスライドロッド４１の先端４２に分割バトン３０’を回動可能に支持した２本の回動アーム４５を有する。各回動アーム４５の回動の基端は、それぞれ対応するスライドロッド４１の先端４２に回動可能に連結されている。分割バトン３０’は、２本の回動アーム４５の回動の先端に両端を固定し、２本の回動アーム４５の間に架け渡されている。分割バトン３０’は、照明バトン装置１００の長手方向と平行（第１方向）に延びている。
【００４３】
また、各伸縮回動機構４０の一方のスライドロッド４１の先端４２には、回動アーム４５の回動を２位置でロックするロック機構６０が設けられている。ロック機構６０は、分割バトン３０’をスライドロッド４１の先端４２に対して鉛直下方に吊下げた吊下げ位置（図２に二点鎖線で示す位置）と鉛直上方に跳ね上げた収納位置（図２に実線で示す位置）のそれぞれにおいて、先端４２に対する回動アーム４５の回動を禁止するよう回動アーム４５をロックする。
【００４４】
図５に示すように、ロック機構６０は、スライドロッド４１の先端４２に設けたロックピン６１、このロックピン６１に対応して回動アーム４５の回動の基端に設けた図示しない２つのロック孔、およびロックピン６１をロック孔に向けて付勢する図示しないバネを有する。２つのロック孔は、回動アーム４５を吊下げ位置に回動した状態でロックピン６１に対向する位置、および回動アーム４５を収納位置に回動した状態でロックピン６１に対向する位置に設けられている。
【００４５】
しかして、収納位置に固定されている回動アーム４５を吊下げ位置に回動して固定する場合、作業者は、一方の手でロックピン６１を引っ張って一方のロック孔からロックピン６１を抜き、この状態で他方の手で分割バトン３０’を１８０°回動させて鉛直下方まで引き下げて、ロックピン６１を離す。これにより、ロックピン６１が他方のロック孔に挿通され、回動アーム４５が吊下げ位置にロックされる。
【００４６】
一方、吊下げ位置に固定されている回動アーム４５を収納位置に回動して固定する場合、作業者は、一方の手でロックピン６１を引っ張って他方のロック孔からロックピン６１を抜き、この状態で他方の手で分割バトン３０’を１８０°回動させて鉛直上方まで引き上げて、ロックピン６１を離す。これにより、ロックピン６１が一方のロック孔に挿通され、回動アーム４５が収納位置にロックされる。
【００４７】
なお、本体フレーム１１０の短手方向に対向した２組の伸縮回動機構４０のスライドロッド４１が互いに干渉することのないように、スライドロッド４１を収容したスライドスリーブ５３は長手方向にずらして並べて取り付けられている。このため、本体フレーム１１０の短手方向に対向した２本の分割バトン３０’は、長手方向にずれている。本実施形態では、図３で上方の２本の分割バトン３０’を中央に寄せて配置し、図３で下方の２本の分割バトン３０’を互いに離間させて配置した。
【００４８】
これ以外に、本体フレーム１１０の短手方向の両側で分割バトン３０’の長さを異ならせることでスライドロッド４１の干渉を防止する方法が考えられるが、長さの異なる分割バトン３０’（および長さの異なる連結ロッド４３）を作成し且つ保管管理する必要があり、製造コストが増大し管理コストが増大する。これに対し、本実施形態のように、分割バトン３０’を本体フレーム１１０の短手方向の両側で長手方向に互いにずらすことで、分割バトン３０’（および連結ロッド４３）の長さを１種類にすることができ、製造コストおよび管理コストを抑えることができる。
【００４９】
また、第２バトン３０、すなわち分割バトン３０’は、使用しない場合、図２に実線で示す状態に収納することができる。図１は、第２バトン３０を収納した状態を示している。この状態で、２本の第２バトン３０は使用不可能な状態となり、照明バトン装置１００の外形が最も小さくなる。第１バトン２０のみを使用する運用時には、２本の第２バトン３０をこの状態に配置する。
【００５０】
また、この状態（第２バトン３０を収納した状態）で、第１バトン２０に加えて、本体フレーム１１０に対して短手方向に離接可能な連結ロッド４３にも照明器具を取り付けることができる。この場合、第１バトン２０と連結ロッド４３が上下方向に段違いとなり、第１バトン２０に取り付けた照明器具と連結ロッド４３に取り付けた照明器具の照射光が互いに干渉することがなく、より多くの照明器具を取り付けることができる。
【００５１】
なお、図２に実線で示す収納位置に第２バトン３０を配置すると、第１バトン２０に対する照明器具の取り付けを容易にできる。仮に、第２バトンが図２に二点鎖線で示す吊下げ位置に回動されている場合、第１バトン２０の短手方向の両側に第２バトン３０があるため、第１バトン２０への照明器具の取り付けの邪魔になる。これに対し、第２バトン３０を図２に実線で示す位置へ跳ね上げておくと、第１バトン２０へ照明器具を引っ掛けやすくなり、連結ロッド４３への照明器具の取り付けも容易になり、作業性を向上させることができる。
【００５２】
一方、第２バトン３０を展開して使用する場合、まず、図２に実線で示す収納状態から、ロック機構６０によるロックを解除して、第２バトン３０を図２に二点鎖線で示す吊下げ位置へ回動する。そして、この状態から、連結ロッド４３を短手方向の外側に引っ張って、第２バトン３０を図２に破線で示す展開位置へ引き出す。このとき、連結ロッド４３の引き出し量は所望する長さにすることができ、短手方向の最大幅まで引き出す必要はない。
【００５３】
また、展開した状態の第２バトン３０を収納する場合、まず、図２に破線で示す展開した状態から、連結ロッド４３を短手方向の内側に押し込んで、図２に二点鎖線で示す状態に縮める。そして、この状態から、ロック機構６０によるロックを解除して、第２バトン３０を図２に実線で示す収納位置へ回動させる。
【００５４】
仮に、連結ロッド４３を破線で示す位置まで引き出した状態で第２バトン３０を回動させようとした場合、第２バトン３０の回動のための比較的大きなスペースが必要になり、隣接する照明バトン装置１００の照明器具に接触し易くなってしまう。このため、連結ロッド４３を本体フレーム１１０に近付けた状態で回動アーム４５を回動させることが望ましい。
【００５５】
以上のように、本実施形態の照明バトン装置１００によると、第１バトン２０に加えて２本の第２バトン３０を展開して使用することができるため、１台の照明バトン装置１００に取り付けできる照明器具の台数を増やすことができ、利便性を向上させることができる。また、本実施形態によると、例えば、照明器具を分散して配置することもでき、照明演出効果に多様性を持たせることができる。
【００５６】
一方、両側の第２バトン３０を収納して照明バトン装置１００をスリム化することもでき、照明バトン装置１００のレイアウトの自由度をより高めることができる。つまり、本実施形態によると、照明バトン装置１００をコンパクトに収納して直線的に使用することもでき、且つ展開して平面的に使用することもでき、使用目的に応じた運用が可能となる。
【００５７】
また、１台の照明バトン装置１００に取り付けできる照明器具の台数を増やせることから、照明設備全体として、昇降機１０２の台数を少なくすることができ、照明設備全体の重量を軽くすることができ、スタジオ天井部にかかる荷重を軽減することができ、照明設備全体としての製造コストを抑えることができる。
【００５８】
また、本実施形態によると、第１バトン２０のみを使用することもでき、複数本（本実施形態では４本）の分割バトン３０’を選択的に使用することもでき、第１および第２バトン２０、３０を全て使用することもでき、さらには連結ロッド４３をバトンとして使用することもでき、照明バトン装置１００の用途を拡大することができる。さらに、第１バトン２０を延長することもでき、さらに取り付け可能な照明器具の台数を増やすこともできる。
【００５９】
また、本実施形態によると、両側の第２バトン３０を展開することができるため、従来のように渡しバトンを使用する必要がなく、利便性を向上させることができる。つまり、渡しバトンを用いないことから、各照明バトン装置１００を独立して昇降移動することができ、且つ照明バトン装置１００の間に美術バトンなどを配置することも可能となり、照明器具のレイアウトの自由度をより高めることができる。
【００６０】
また、本実施形態によると、照明バトン装置１００を昇降移動させて照明器具の高さを任意に設定できることに加えて、各伸縮回動機構４０のスライドロッド４１の突没状態を任意に設定できるため、照明器具のレイアウトの自由度をより高めることができる。また、照明バトン装置１００を独立して昇降移動可能であることから、照明バトン装置１００の間に美術バトンなどを配置するスペースを設けることができ、美術バトンのレイアウトの自由度を高めることができる。
【００６１】
さらに、本実施形態によると、収納位置へ配置した分割バトン３０’をロックすることができ、収納した分割バトン３０’が不用意に回動する不具合を防止でき、照明器具等にぶつかって破損する不具合を防止することができる。また、吊下げ位置へ配置した分割バトン３０’をロックすることができ、分割バトン３０’の使用時に照明器具が不用意に移動する不具合を防止することができる。
【００６２】
［実施例］
従来の照明バトン装置（１本のバトンのみを有する）が、一般的に、使い易いとされている１５００ｍｍピッチで並べて配置されているのに対し、上述した実施形態の照明バトン装置１００は、その並び方向に沿って１９００ｍｍピッチで配置した。この場合、４００ｍｍのピッチの差があるが、本実施形態の照明バトン装置１００は、２本の第２バトン３０（４本の分割バトン３０’）を有するため、このピッチ差を補完することができる。
【００６３】
つまり、本実施形態の照明バトン装置１００は、２本の第２バトン３０を収納した最もコンパクトな状態にしたときの短手方向の幅を６００ｍｍとし、各第２バトン３０を伸長可能な長さをそれぞれ３００ｍｍとしたため、第１バトン２０を中心に短手方向の両側に３００ｍｍ〜６００ｍｍの間で任意の位置に第２バトン３０を配置することができる。このため、上述した４００ｍｍのピッチ差を補完することができる。
【００６４】
上述した実施形態は、例として提示したものであり、発明の範囲を限定することは意図していない。上述した実施形態は、その他の様々な形態で実施されることが可能であり、発明の要旨を逸脱しない範囲で、種々の省略、置き換え、変更を行うことができる。上述した実施形態やその変形は、発明の範囲や要旨に含まれるとともに、特許請求の範囲に記載された発明とその均等の範囲に含まれる。
【００６５】
例えば、上述した実施形態では、伸縮回動機構４０の回動アーム４５を収納位置と吊下げ位置の２位置に固定する場合について説明したが、これに限らず、回動の途中で仮留めできる構成を追加しても良い。
【符号の説明】
【００６６】
２０…第１バトン、３０…第２バトン、３０’…分割バトン、４０…伸縮回動機構、４１…スライドロッド、４２…先端、４３…連結ロッド、４４…補助ロッド、４５…回動アーム、５３…スライドスリーブ、５５…緩衝部材、６０…ロック機構、６１…ロックピン、１００…照明バトン装置、１０１…吊りワイヤー、１０２…巻上機、１１０…本体フレーム、１１２…吊りアーム。
【図１】
2018051239.tif 000003
【図２】
2018051239.tif 000004
【図３】
2018051239.tif 000005
【図４】
2018051239.tif 000006
【図５】
2018051239.tif 000007
【手続補正書】
【提出日】平成29年12月25日(2017.12.25)
【手続補正１】
【補正対象書類名】特許請求の範囲
【補正対象項目名】全文
【補正方法】変更
【補正の内容】
【特許請求の範囲】
【請求項１】
それぞれが独立して昇降移動可能に天井から垂設されて、鉛直方向と直交する第１方向に延設され、前記鉛直方向および前記第１方向と直交する第２方向に沿って複数台並べて設けられた照明バトン装置であって、
前記天井から昇降移動可能に垂設された本体と；
この本体から鉛直下方に垂設されて前記第１方向に延設された第１バトンと；
前記本体に対して前記第２方向にスライド可能に設けたスライド部材と；
このスライド部材の前記本体から離間した前記第２方向の先端から鉛直下方に垂設されて前記第１方向に延設された第２バトンと；
を有する照明バトン装置。
【請求項２】
前記スライド部材の前記先端に対して前記第１方向に延びた軸線を中心に回動可能に設けられ、回動の先端に前記第２バトンを備えた回動アームをさらに有する、
請求項１の照明バトン装置。
【請求項３】
前記第２バトンを前記スライド部材の前記先端の鉛直下方に吊下げた吊下げ位置と前記第２バトンを前記スライド部材の前記先端の鉛直上方に跳ね上げた収納位置のそれぞれにおいて前記スライド部材の前記先端に対する前記回動アームの回動を選択的に禁止するロック機構をさらに有する、
請求項２の照明バトン装置。
【請求項４】
前記第２バトンは前記第１方向に分割された複数の分割バトンを含み、前記スライド部材がこれら複数の分割バトンに対応して複数設けられ、これら各分割バトンが前記回動アームを介して前記対応するスライド部材の前記先端に対して前記第１方向に延びた軸線を中心に回動可能に設けられ、前記各分割バトン毎に前記ロック機構を備える、
請求項３の照明バトン装置。
【請求項５】
請求項１乃至請求項４のいずれかの照明バトン装置を前記第２方向に沿って複数台並設した照明システム。
【手続補正２】
【補正対象書類名】明細書
【補正対象項目名】０００８
【補正方法】変更
【補正の内容】
【０００８】
第１の実施形態に係る照明バトン装置は、それぞれが独立して昇降移動可能に天井から垂設されて、鉛直方向と直交する第１方向に延設され、鉛直方向および第１方向と直交する第２方向に沿って複数台並べて設けられる。各照明バトン装置は、天井から昇降移動可能に垂設された本体と；この本体から鉛直下方に垂設されて第１方向に延設された第１バトンと；本体に対して第２方向にスライド可能に設けたスライド部材と；このスライド部材の本体から離間した第２方向の先端から鉛直下方に垂設されて第１方向に延設された第２バトンと；を有する。
【手続補正３】
【補正対象書類名】明細書
【補正対象項目名】０００９
【補正方法】変更
【補正の内容】
【０００９】
第２の実施形態に係る照明バトン装置は、スライド部材の先端に対して第１方向に延びた軸線を中心に回動可能に設けられ、回動の先端に第２バトンを備えた回動アームをさらに有する。
【手続補正４】
【補正対象書類名】明細書
【補正対象項目名】００１０
【補正方法】変更
【補正の内容】
【００１０】
第３の実施形態に係る照明バトン装置は、第２バトンをスライド部材の先端の鉛直下方に吊下げた吊下げ位置と第２バトンをスライド部材の先端の鉛直上方に跳ね上げた収納位置のそれぞれにおいてスライド部材の先端に対する回動アームの回動を選択的に禁止するロック機構をさらに有する。
【手続補正５】
【補正対象書類名】明細書
【補正対象項目名】００１１
【補正方法】変更
【補正の内容】
【００１１】
第４の実施形態に係る照明バトン装置によると、第２バトンは第１方向に分割された複数の分割バトンを含み、スライド部材がこれら複数の分割バトンに対応して複数設けられ、これら各分割バトンが回動アームを介して対応するスライド部材の先端に対して前記第１方向に延びた軸線を中心に回動可能に設けられ、各分割バトン毎にロック機構を備える。
【手続補正６】
【補正対象書類名】明細書
【補正対象項目名】００１３
【補正方法】変更
【補正の内容】
【００１３】
第１の実施形態の照明バトン装置によると、比較的安価な装置構成により、第１バトンに加えてスライド可能な第２バトンを設けることができ、バトンの本数に対する巻上機の台数を少なくすることができ、且つ所望する照明光を照射することができる。
【手続補正７】
【補正対象書類名】明細書
【補正対象項目名】００１４
【補正方法】変更
【補正の内容】
【００１４】
第２の実施形態の照明バトン装置によると、第２バトンを使用しない場合に回動アームを回動して第２バトンを収納することができ、第１バトンに対する照明器具の取り付けを容易にできる。
【手続補正８】
【補正対象書類名】明細書
【補正対象項目名】００１７
【補正方法】変更
【補正の内容】
【００１７】
第５の実施形態の照明システムによると、第２バトンのスライド方向に複数台の照明バトン装置を並設したため、照明バトン装置の第２方向に沿った配置間隔を広げることができ、照明バトン装置の台数を減らすことができる。
【手続補正９】
【補正対象書類名】明細書
【補正対象項目名】００３６
【補正方法】変更
【補正の内容】
【００３６】
本体フレーム１１０には、４本の分割バトン３０’をそれぞれ独立して照明バトン装置１００の短手方向にスライドさせるとともに後述する吊下げ位置と収納位置との間で回動させるための４組のスライド回動機構４０が設けられている。４組のスライド回動機構４０は、略同じ構造を有するため、以下の説明では１つのスライド回動機構４０について代表して説明する。
【手続補正１０】
【補正対象書類名】明細書
【補正対象項目名】００３７
【補正方法】変更
【補正の内容】
【００３７】
スライド回動機構４０は、本体フレーム１１０に対して短手方向にスライドする２本のスライドロッド４１、２本のスライドロッド４１の本体フレーム１１０から短手方向に離間した先端４２同士をつないだ連結ロッド４３、連結ロッド４３の中央に設けた補助ロッド４４、および分割バトン３０’を２本のスライドロッド４１の先端４２に対して回動可能に連結した２本の回動アーム４５を有する。２本のスライドロッド４１、連結ロッド４３、および補助ロッド４４は、スライド部材として機能する。
【手続補正１１】
【補正対象書類名】明細書
【補正対象項目名】００４２
【補正方法】変更
【補正の内容】
【００４２】
また、スライド回動機構４０は、２本のスライドロッド４１の先端４２に分割バトン３０’を回動可能に支持した２本の回動アーム４５を有する。各回動アーム４５の回動の基端は、それぞれ対応するスライドロッド４１の先端４２に回動可能に連結されている。分割バトン３０’は、２本の回動アーム４５の回動の先端に両端を固定し、２本の回動アーム４５の間に架け渡されている。分割バトン３０’は、照明バトン装置１００の長手方向と平行（第１方向）に延びている。
【手続補正１２】
【補正対象書類名】明細書
【補正対象項目名】００４３
【補正方法】変更
【補正の内容】
【００４３】
また、各スライド回動機構４０の一方のスライドロッド４１の先端４２には、回動アーム４５の回動を２位置でロックするロック機構６０が設けられている。ロック機構６０は、分割バトン３０’をスライドロッド４１の先端４２に対して鉛直下方に吊下げた吊下げ位置（図２に二点鎖線で示す位置）と鉛直上方に跳ね上げた収納位置（図２に実線で示す位置）のそれぞれにおいて、先端４２に対する回動アーム４５の回動を禁止するよう回動アーム４５をロックする。
【手続補正１３】
【補正対象書類名】明細書
【補正対象項目名】００４７
【補正方法】変更
【補正の内容】
【００４７】
なお、本体フレーム１１０の短手方向に対向した２組のスライド回動機構４０のスライドロッド４１が互いに干渉することのないように、スライドロッド４１を収容したスライドスリーブ５３は長手方向にずらして並べて取り付けられている。このため、本体フレーム１１０の短手方向に対向した２本の分割バトン３０’は、長手方向にずれている。本実施形態では、図３で上方の２本の分割バトン３０’を中央に寄せて配置し、図３で下方の２本の分割バトン３０’を互いに離間させて配置した。
【手続補正１４】
【補正対象書類名】明細書
【補正対象項目名】００６０
【補正方法】変更
【補正の内容】
【００６０】
また、本実施形態によると、照明バトン装置１００を昇降移動させて照明器具の高さを任意に設定できることに加えて、各スライド回動機構４０のスライドロッド４１の突没状態を任意に設定できるため、照明器具のレイアウトの自由度をより高めることができる。また、照明バトン装置１００を独立して昇降移動可能であることから、照明バトン装置１００の間に美術バトンなどを配置するスペースを設けることができ、美術バトンのレイアウトの自由度を高めることができる。
【手続補正１５】
【補正対象書類名】明細書
【補正対象項目名】００６５
【補正方法】変更
【補正の内容】
【００６５】
例えば、上述した実施形態では、スライド回動機構４０の回動アーム４５を収納位置と吊下げ位置の２位置に固定する場合について説明したが、これに限らず、回動の途中で仮留めできる構成を追加しても良い。
以下、本願の出願当初の特許請求の範囲に記載された発明を付記する。
［１］
それぞれが独立して昇降移動可能に天井から垂設されて、鉛直方向と直交する第１方向に延設され、前記鉛直方向および前記第１方向と直交する第２方向に沿って複数台並べて設けられた照明バトン装置であって、
前記天井から昇降移動可能に垂設された本体と；
この本体から鉛直下方に垂設されて前記第１方向に延設された第１バトンと；
前記本体に対して前記第２方向に伸縮可能に設けた伸縮部材と；
この伸縮部材の前記本体から離間した前記第２方向の先端から鉛直下方に垂設されて前記第１方向に延設された第２バトンと；
を有する照明バトン装置。
［２］
前記伸縮部材の前記先端に対して回動可能に設けられ、回動の先端に前記第２バトンを備えた回動アームをさらに有する、
［１］の照明バトン装置。
［３］
前記第２バトンを前記伸縮部材の前記先端の鉛直下方に吊下げた吊下げ位置と前記第２バトンを前記伸縮部材の前記先端の鉛直上方に跳ね上げた収納位置のそれぞれにおいて前記回動アームの前記先端に対する回動を選択的に禁止するロック機構をさらに有する、
［２］の照明バトン装置。
［４］
前記第２バトンは前記第１方向に分割された複数の分割バトンを含み、前記伸縮部材がこれら複数の分割バトンに対応して複数設けられ、これら各分割バトンが前記回動アームを介して前記対応する伸縮部材の前記先端に対して回動可能に設けられ、前記各分割バトン毎に前記ロック機構を備える、
［３］の照明バトン装置。
［５］
［１］乃至［４］のいずれかの照明バトン装置を前記第２方向に沿って複数台並設した照明システム。